(57)【要約】【課題】灰の処分の必要が無く、雑草繁殖の防止効果が高いマルチング材を提供する。また、樹木の育成に適した植生基材と、土地土地に合った自然保護が容易な緑化工事方法を提供する。【解決手段】刈取った草木につき破砕と加熱加圧を行い、さらに乾燥してマルチング材１を得る。加熱加圧により殺菌され、乾燥により発酵して養分となる。得られたマルチング材１に植物の種を混合することで植生基材３を得る。この植生基材３に混合する種として施工する土地の郷土種２を用いて、施工面に吹き付けると、その土地土地の風景に合った緑化工事を効率よく行える。しかも、刈り取った草木は焼却処分しないので、灰の処分の必要はない。【選択図】図１
2008035740.tif 000002
【特許請求の範囲】
【請求項１】
刈取った草木につき破砕と加熱加圧を行い、さらに乾燥して発酵させた
ことを特徴とするマルチング材。
【請求項２】
請求項１の発明で得られたマルチング材に、植物の種を混合した
ことを特徴とする植生基材。
【請求項３】
請求項２の植生基材であって、混合した植物の種が施工する土地の植物の種であるものを用い、施工面に吹き付けて所定の厚さに堆積させる
ことを特徴とする緑化工事方法。
【発明の詳細な説明】
【技術分野】
【０００１】
本発明は、マルチング材、植生基材および緑化工事方法に関する。さらに詳しくは、雑草の繁殖を防止するためのマルチング材、そのマルチング材を用いた植物を生育させる植生基材、およびそれを用いた地面の緑化工事方法に関する。
【背景技術】
【０００２】
一般道路や高速道路の法面、湖や河川、ダムの堤防、宅地や公園など種々の土地の斜面には、草木が自然繁殖していたり、あるいは緑化のため草木が植えられている。しかし、雑草などが繁殖しすぎると、環境保全のため刈り取って処分する必要がある。
これまで、刈り取った草木は、集めて破砕し、焼却処分していたが、その場合、ＣＯ２が発生して大気を汚染する。また焼却の後に残った灰の処分に困っていた。通常は産業廃棄物として最終処分場にて埋める等の処分が行われているが、最近では処分場が満杯になりつつある。
【０００３】
一方、雑草の繁殖防止や土壌の乾燥防止のために種々のマルチング材が用いられているが、従来のマルチング材としては、つぎのようなものがある。
（１）特許文献１には、車載型の剪定枝葉処理装置が開示されており、この装置では、剪定→破砕→散布の一連の作業ができるものとなっている。しかし、雑草を集めて殺菌するものではないので、そのまま散布した場合は、すぐに雑草等が繁殖して環境保全が困難になる。
（２）特許文献２はマルチングシートの形状の発明である。したがって、雑草や灰の処分に貢献できる発明ではない。
（３）特許文献３は、堆肥と土壌とを混合させたマルチング材であり、特許文献４〜６は樹脂等で練り込んでマルチング材を作る技術である。いずれも、マルチング材の製造に際し、堆肥との混合や樹脂等との練り込みを要するので、工数が多く高価格になるという問題がある。
【０００４】
ところで、環境保全に重要な緑化工事において、もう一つの課題とされるのは郷土植物の利用である。
これまでの緑化工事に際では、強健な外来植物が主に使われていたが、これでは景観に違和感を与え、自然の復元に回り道となっているという指摘がある（非特許文献１参照）。
【０００５】
【特許文献１】特開２０００−２３７６２３号
【特許文献２】特開平７−１８４４８３号
【特許文献３】特開２００４−１４１０７０号
【特許文献４】特開平１１−３２５７０号
【特許文献５】特開２００４−１８３３４８号
【特許文献６】特開２００６−８７３２４号
【非特許文献１】平凡社大百科事典４巻３６０頁
【発明の開示】
【発明が解決しようとする課題】
【０００６】
本発明は上記事情に鑑み、雑草等を焼却する際に大気汚染せず、灰の処分の必要が無く、雑草繁殖の防止効果が高いマルチング材を提供することを目的とする。また、植物の育成を効果的に行える植生基材を提供し、土地土地に合った景観と自然保護が容易な緑化工事方法を提供することを目的とする。
【課題を解決するための手段】
【０００７】
第１発明のマルチング材は、刈取った草木につき破砕と加熱加圧を行い、さらに乾燥して発酵させたことを特徴とする。
第２発明の植生基材は、請求項１の発明で得られたマルチング材に、植物の種を混合したことを特徴とする。
第３発明の緑化工事方法は、請求項２の植生基材であって、混合した植物の種が施工する土地の植物の種であるものを用い、施工面に吹き付けて所定の厚さに堆積させる
【発明の効果】
【０００８】
第１発明によれば、加熱加圧されたことにより殺菌されているので、施行後には雑草の発芽を効果的に防止できるマルチング材が得られる。しかも、刈り取った草木は焼却処分しないので、大気汚染の原因とならず灰を産業廃棄物として処分する必要もない。
第２発明によれば、混入した植物の種が草木破片の発酵分を養分として吸収するので、混入した種の植物のみを生育させることができ、特定の樹種による緑化ができる。
第３発明によれば、その土地の郷土植物の種を混合して散布することにより、その土地に合った樹種を育成するので、その土地の景観に合った緑化ができ、違和感のない風景を形作ることができる。
【発明を実施するための最良の形態】
【０００９】
つぎに、本発明の実施形態を図面に基づき説明する。
図１は本発明に係るマルチング材の製法の説明図である。同図に基づき、その製法を順を追って説明する。
【００１０】
（１）草木の刈取り、収集
地面に繁殖している草や木を刈取り、収集する。ここにいう草木は、雑草や細木、根、樹木の枝などで環境保全に不要であったり害となるものをいう。これらを刈取り収集することにより環境美化に貢献できる。刈取りの方法等には制限がなく、どのような機械器具を用いてもよく、人力を用いてもよい。つぎの破砕のため収集したのち、トラックその他の適当な運送手段で搬送する。
【００１１】
（２）破砕
集められた草木は破砕機で細かく砕き、細木や枝、根は長さが１〜７ｃｍ位の破砕片にする。この破砕作業は、種々の草木を充分に混合させ、後工程の加熱加圧を効率よく行うためである。また、施工時の地面への散布を容易に行えるようにするために行っている。破砕に用いる機械や器具は、任意のものを用いることができる。
【００１２】
（３）加熱加圧
破砕された草木の破砕片は、圧力釜などに入れ、高温の水蒸気を注入するなどの方法で加熱加圧される。なお、圧力釜を用いず他の方法によってもよい。加熱範囲は８０℃〜210℃位が好ましく、加圧範囲は約１０気圧位までが好ましい。この範囲内であると刈取った草木に付着していた種子、雑菌や混じっている動物の糞その他の雑菌類を殺菌できる。このため、緑化工事面に散布したとき雑草の発芽を防止できる。
【００１３】
（４）乾燥、発酵
加熱殺菌した後の草木破砕片は、乾燥して発酵させる。乾燥には、どのような装置を使ってもよいが、大量処分するには天日が適当である。このようにして発酵させることにより、草木破砕片を養分化させることができる。
【００１４】
前記の製法のうち、破砕と加熱加圧は順序を入れ替えてもよい。この場合、（２）加熱加圧→（３）破砕の順となる。
【００１５】
以上の製法により、破砕草木を原材料とした、殺菌済みであり、かつ養分化されたマルチング材１が得られる。この製法であると廃棄するものはないので、収集した草木の全量をマルチング材１として活用できる。このように、廃棄物として処理するものはないので、処理費も低廉ですみ、大気汚染等によって環境を破壊することもない。
【００１６】
つぎに、上記マルチング材１を用いた植生基材３を図２に基づき説明する。図２は本発明における植生基材３とそれを用いた緑化工事の説明図である。
本発明の植生基材３は、マルチング材１に植物の種２を混合することにより製造される。混合する種２は、とくに制限がなく植生したい樹木や草などから選べばよい。後述するように郷土植物の種２を混合した場合は、その土地土地に合った景観を形成するのに適した植生基材３となる。
【００１７】
つぎに、本発明における緑化工事方法を、図２に基づき説明する。
緑化工事を行う場合に、上述したマルチング材１のみを適宜の吹付け機を用いて工事面に堆積させてもよいが、マルチング材１に郷土植物の種２（以下、郷土種という）を混合した植生基材３を吹付ける方法が環境形成に好ましい。
【００１８】
郷土種２とは、その土地土地の樹木の種のことで、何が郷土種かはその土地の鎮守の森に古くからある樹木が該当すると云われている。緑化に用いることができる植物に、特別の制限はないが、例えば、ススキ、シバをはじめとして、ヨモギ、イタドリなどの草木、クロマツ、ヤシャブシ類、ハギ類、ウツギ、タニウツギ、などの木を例示できる。
この郷土種２を混ぜた植生基材３を散布すると、その土地の気候風土に最も適した樹木による緑化が可能となる。
【００１９】
マルチング材１のみの散布に当っては、ある程度の厚さ、例えば５〜２０ｃｍ位にすることが好ましく、その厚さにすることによって、雑草防除、土壌固結防止、地温維持、土壌凍結防止、土壌流失防止等、種々の機能を発揮できる。また、このように厚く敷いても原材料や不要な草木なので費用が負担になることはない。
また、植生基材３を散布する場合は、３〜２０ｃｍ位が好ましい。この植生基材３を散布した場合は、それに含まれる養分によって、一緒に散布された郷土種２は発芽し、土中に根を張り、空中に茎が伸びていき、統一された樹種によって緑化することができる。
しかも、その土地土地の風景に合った景観を形作ることができる。
【図面の簡単な説明】
【００２０】
【図１】本発明におけるマルチング材１の製法の説明図である。
【図２】本発明における植生基材３とそれを用いた緑化工事の説明図である。
【符号の説明】
【００２１】
１    マルチング材
２    郷土種
３    植生基材
【図１】
2008035740.tif 000003
【図２】
2008035740.tif 000004